(57)【特許請求の範囲】
【請求項１】
ブロック上にソレノイドにより作動する２つの弁本体を積み重ね、前記ブロックから前記２つの弁本体に対し流体通路を介して流体を供給、排出するソレノイド電磁弁装置であって、前記２つの弁本体の内の下段の弁本体の全ての流体通路のポートは下面及び上面に形成し、前記下面のポートは前記ブロックの流体通路に接続し、前記２つの弁本体の内の上段の弁本体の全ての流体通路のポートはその下面に形成し、前記下段の弁本体の上面に形成したポートに接続し前記下段の弁本体内に設けた流体通路を介して前記ブロックの流体通路に接続したことを特徴とする電磁弁装置。
【請求項２】
前記上下の弁本体を更に前記ブロック上に並設した請求項１に記載の電磁弁装置。
【請求項３】
前記上下の弁本体は流体供給通路、流体排出通路を共通し、流体出力通路を個々に前記ブロックに接続した請求項１に記載の電磁弁装置。
【発明の詳細な説明】
【０００１】
【発明の属する技術分野】
本発明は、例えば空気圧回路や油圧回路を切換えるために使用し、ソレノイドによって開閉する弁を備えた電磁弁装置に関するものである。
【０００２】
【従来の技術】
従来、内部に流体流路を備えたマニホールド等のブロックには、複数の電磁弁が直接に又は補助ブロックを介して並設され、２台の２方電磁弁が並設されることにより３方弁が構成され、２台の３方電磁弁が並設されることにより５方弁が構成される。また、これらの電磁弁はパイロット弁として主弁に取り付けられる場合もある。
【０００３】
図６はブロック等に取り付けられる補助ブロック１の平面図であり、図示しない２台の３方電磁弁が並設される取付面１ａには、電磁弁に圧力流体を供給する供給ポート２、３と、電磁弁から圧力流体が出力される出力ポート４、５と、電磁弁から圧力流体が排出される排出ポート６、７が、取付ピッチＰを有してそれぞれ設けられている。このような取付面１ａに並設された電磁弁の作用により、供給ポート２、３に供給された圧力流体は出力ポート４、５にそれぞれ出力されたり、排気ポート７、８にそれぞれ排出されたりする。
【０００４】
また補助ブロック１には、２台の電磁弁を取り付けるための２個ずつの電磁弁用取付孔８〜１１と、補助ブロック１を図示しないブロックに取り付けるための２個のブロック用取付孔１２、１３とが設けられている。
【０００５】
一方、主弁に対するパイロット弁として使用された電磁弁は、例えば実開平５−９６６５２号公報、実開平５−９６６６０号公報等に公開されている。これらの公報では、２台の電磁弁が上下に間隔をおいて主弁の一側面に並設され、これらの電磁弁は内部配管により一体化されている。
【０００６】
【発明が解決しようとする課題】
しかしながら上述した従来例では、電磁弁が補助ブロック１に取付ピッチＰの間隔で並設されたり、主弁の一側面に間隔をおいて並設されるため、設置スペースが補助ブロック１の取付面１ａ又は主弁の一側面に沿った方向に多く必要とされる上に、設置スペースが取付面１ａに沿った方向にのみ必要とされるという問題がある。
【０００７】
また、供給ポート３、４、出力ポート４、５、排出ポート６、７、電磁弁用取付孔８〜１１、そしてブロック用取付孔１２、１３は一般に小径であるため、それらを形成するための時間が多く必要とされ、製造コストの削減にも限界があるという問題がある。
【０００８】
本発明の目的は、上述した問題点を解消し、設置スペースを減少させると共に製造コストを削減し得る電磁弁装置を提供することにある。
【０００９】
【課題を解決するための手段】
上記目的を達成するための本発明に係る電磁弁装置は、ブロック上にソレノイドにより作動する２つの弁本体を積み重ね、前記ブロックから前記２つの弁本体に対し流体通路を介して流体を供給、排出するソレノイド電磁弁装置であって、前記２つの弁本体の内の下段の弁本体の全ての流体通路のポートは下面及び上面に形成し、前記下面のポートは前記ブロックの流体通路に接続し、前記２つの弁本体の内の上段の弁本体の全ての流体通路のポートはその下面に形成し、前記下段の弁本体の上面に形成したポートに接続し前記下段の弁本体内に設けた流体通路を介して前記ブロックの流体通路に接続したことを特徴とする。
【００１０】
【発明の実施の形態】
本発明を図１〜図５に図示の実施例に基づいて詳細に説明する。
図１は実施例の外観斜視図であり、上段の第１の電磁弁２１と下段の第２の電磁弁２２が積み重ねられ、補助ブロック２３にねじ２４、２５により固定されている。補助ブロック２３は複数の流体通路を備えた図示しないマニホールド等のブロックに取り付けられるように形成されている。電磁弁２１はソレノイド２６と第１の弁本体２７から構成され、第２の電磁弁２２は第１の電磁弁２１と同様なソレノイド２６と、第１の弁本体２７とは若干異なる第２の弁本体２８とから構成されている。
【００１１】
第２の電磁弁２２が取り付けられる補助ブロック２３の取付面２３ａには、図２の平面図に示すように、空気圧又は油圧等の圧力流体を電磁弁２１、２２に供給する供給ポート３１ａと、流体が電磁弁２１、２２から個々に出力される出力ポート３２ａ、３３ａと、流体が電磁弁２１、２２から排出される排出ポート３４ａとが設けられている。また補助ブロック２３には、電磁弁２１、２２が固定される際にねじ２４、２５が挿通される電磁弁取付孔３５、３６と、ブロックが固定される際に図示しないねじが挿通されるブロック取付孔３７、３８（３８は図示せず）とが穿設されている。
【００１２】
図３は電磁弁２１、２２の縦断面図、図４は電磁弁２１、２２と補助ブロック２３の横断面図を示している。供給ポート３１ａは補助ブロック２３の右側面の供給ポート３１ｂに供給路３１を介して連通され、出力ポート３２ａ、３３ａは補助ブロック２３の正面の出力ポート３２ｂ、３３ｂに出力路３２、３３を介してそれぞれ連通され、排出ポート３４ａは補助ブロック２３の左側面の排出ポート３４ｂに排出路３４を介して連通されている。
【００１３】
一方、ソレノイド２６のボビン４１の中空孔４１ａには、固定鉄心４２が右側に嵌合され、可動鉄心４３が左側に嵌合されている。可動鉄心４３の外端側は弁本体２７、２８側へ突出され、その端面には第１の弁部４４が埋設されている。可動鉄心４３の内端側の外側には圧縮ばね４５が嵌め込まれ、この圧縮ばね４５により可動鉄心４３は弁本体２７、２８側へ付勢されている。ボビン４１は電磁用コイル４６が巻回された上に内側ヨーク４７と外側ヨーク４８により保持され、これらの電磁用コイル４６、内側ヨーク４７、外側ヨーク４８は、カバー４９により覆われている。
【００１４】
そして、弁本体２７、２８のソレノイド２６側には、可動鉄心４３が嵌合する第１の弁室５１が設けられ、ソレノイド２６の反対側には第２の弁室５２が第１の弁室５１と同軸に設けられている。これらの弁室５１、５２には第１の弁座５３と第２の弁座５４がそれぞれ設けられ、弁室５１、５２は弁座５３、５４の外側を通る通路５５、５６により連通されている。第２の弁室５２には第２の弁部５７を備えた弁体５８が嵌合され、この弁体５８は通路５５、５６に挿通された連結部材５９により可動鉄心４３に連結されている。第２の弁室５２には、圧縮ばね６０が弁体５８の背面に配置され、第２の弁室５２が閉塞部材６１により閉塞されることにより、弁体５８は圧縮ばね６０により第２の弁座５４側へ付勢されている。
【００１５】
弁本体２７、２８には、圧力流体を補助ブロック２３から第１の弁室５１に弁座５３を介して供給する供給路６２と、第１の弁室５１の圧力流体を通路５５、５６、第２の弁室５２、第２の弁座５４を介して補助ブロック２３へ排出する排出路６３が設けられている。また弁本体２７、２８には、第１の弁室５１に供給された圧力流体を、補助ブロック２３の出力ポート３２ａ、３３ａにそれぞれ供給する出力路６４、６５が異なる位置に設けられている。
【００１６】
また第２の弁本体２８には、その供給路６２と排出路６３を第１の弁本体２７の供給路６２と排出路６３にそれぞれ連通する連通路６６、６７が設けられている。更に、第２の弁本体２８には、第１の弁本体２７の出力路６５を補助ブロック２３の出力ポート３２ａに連通する連通路６８が設けられている。そして、補助ブロック２３、第１の弁本体２７及び第２の弁本体２８は、供給路６２、排出路６３、出力路６４、６５及び連通路６８ごとに埋設されたシール材６９を介して結合されている。
【００１７】
このような構成により、ソレノイド２６に電流が流れないときは、可動鉄心４３は圧縮ばね４５に付勢され、第１の弁部４４が第１の弁座５３に当接して供給路６２を閉じている。このとき、弁体５８が連結部材５９を介して可動鉄心４３により駆動され、第２の弁部５７は第２の弁座５４から離間して排出路６３を開いている。
【００１８】
このような状態でソレノイド２６に電流が流れると、固定鉄心４２の吸着力により可動鉄心４３が移動することにより、第１の弁部４４と第２の弁部５７が右方へ移動し、第１の弁部４４が第１の弁座５３から離間すると共に、第２の弁部５７が第２の弁座５４に当接する。これにより、供給ポート３１ａからの圧力流体が、第２の弁本体２８の供給路６２を通過してその第１の弁室５１に流入し、更に出力路６４を通過して補助ブロック２３の出力ポート３３ａに流入する。
【００１９】
一方、第２の弁本体２８の供給路６２に流入した流体は、その連通路６６と第１の弁本体２７の供給路６２を通過して第１の弁室５１に流入し、更に出力路６５、第１の弁本体２７の連通路６８を通過して補助ブロック２３の出力ポート３２ａに流入する。
【００２０】
そして、ソレノイド２６への通電が停止すると、可動鉄心４３が再移動して第１の弁部４４が供給路６２を閉じると共に、第２の弁部が排出路６３を開く。これにより、第１の弁室５１内の圧力流体は通路５５、５６、第２の弁室５２に流出し、第１の弁本体２８では排出路６３を通過して補助ブロック２３の排出ポート３４ａに流出すると共に、第１の弁室５１内の流体は、その排出路６３、第２の弁本体２８の連通路６７、排出路６３を通過して補助ブロック２３の排出ポート３４ａに流出する。
【００２１】
このように、実施例では第１の電磁弁２１と第２の電磁弁２２を補助ブロック２３上に積み重ねて取り付けたので、第２弁本体２８に連通路６６、６７、６８を設けるだけで、補助ブロック２３の供給ポート３１ａと排出ポート３４ａの数を従来の半分にすることができる。即ち、全体の電磁弁の数がｎ台である場合には、補助ブロック２３の供給ポート、排出ポート及び供給ポートの数は、ｎが偶数のときは従来数の１／２とすることができ、ｎが奇数のときは（ｎ−１）／２＋１とすることができる。
【００２２】
従って、補助ブロック２３の全体をコンパクト化することができると共に、供給路３１、出力路３２、３３、排出路３４を形成する時間を短縮できて、製造コストの削減が可能となる。また、補助ブロック２３の取付面２３ａの幅を短縮できるため、電磁弁２１、２２の設置スペースを少なくできる上に、取付面２３ａの方向の設置スペースが制限される場合に対応させることができる。更に、各路６２、６３、６５、６８を補助ブロック２３に直交するように形成したので、形成作業を容易にし得る上に、流体に与える抵抗を減らすことができ、流体の流れを滑らかにすることができる。
【００２３】
なお、上述した実施例をダブルソレノイド形のパイロット弁として使用するため、図５の部分断面図に示すように電磁弁２１、２２を、ブロック７１に設置された主弁７２の片側に補助ブロック２３を介して容易に積み重ねることもできる。また、上述した実施例では３方電磁弁について説明したが、パイロット弁を含む２方電磁弁にも適用することができる。
【００２４】
【発明の効果】
以上説明したように本発明に係る電磁弁装置は、複数の弁本体をブロック上に積み重ねて取り付けるように構成したので、ブロックに形成する流体通路の数を少なくすることができて、形成に要する時間を縮小でき、製造コストの削減が可能になる。また、流体通路の数を少なくできるため、ブロックの幅方向の設置スペースを減少させることができる上に、幅方向の設置スペースの少ない場合に対応することができる。
【図面の簡単な説明】
【図１】実施例の外観斜視図である。
【図２】補助ブロックの平面図である。
【図３】電磁弁の縦断面図である。
【図４】横断面図である。
【図５】実施例をパイロット弁とした部分断面図である。
【図６】従来例の補助ブロックの平面図である。
【符号の説明】
２１  第１の電磁弁
２２  第２の電磁弁
２３  補助ブロック
２６  ソレノイド
２７、２８  弁本体
３１ａ  供給ポート
３２ａ、３３ａ  出力ポート
３４ａ  排出ポート
４３  可動鉄心
６２  供給路
６３  排出路
６４、６５  出力路
６６〜６８  連通路
【図１】
0003606963.tif 000002
【図２】
0003606963.tif 000003
【図３】
0003606963.tif 000004
【図４】
0003606963.tif 000005
【図５】
0003606963.tif 000006
【図６】
0003606963.tif 000007